(57)【特許請求の範囲】
【請求項１】
電源と、オフ位置に切換えられることによってそれぞれ接続される第１のスイッチ端子および第２のスイッチ端子を備えているとともに、オン位置に切換えられることによって上記第２のスイッチ端子に接続される第３のスイッチ端子を備えたワイパスイッチと、上記電源に接続された第１のブラシ端子および上記ワイパスイッチの第２のスイッチ端子に接続された第２のブラシ端子を備え、上記両ブラシ端子への通電によって、ワイパを作動させるための出力軸が回転するワイパモータと、上記ワイパスイッチの第１のスイッチ端子に接続された可動接点と、上記電源に接続された第１の接点と、接地された第２の接点とを備え、上記ワイパモータの出力軸に連動してワイパが作動中は上記可動接点が上記第２の接点に接続され、ワイパが予め定められた停止位置にくると該可動接点が上記第１の接点に接続されるオートストップスイッチと、オフ位置とアクセサリー位置とに切換え可能で、オフ位置からアクセサリー位置に切換えられると上記電源に接続された電源端子にアクセサリー端子が接続されて、上記電源からアクセサリー端子に電流が供給されるイグニションスイッチと、一端が上記イグニションスイッチのアクセサリー端子に接続され、他端が接地されたリレーコイルと、上記ワイパスイッチの第１のスイッチ端子に接続されたリレー常閉接点と、上記ワイパスイッチの第３のスイッチ端子に接続されたリレー可動接点と、接地されたリレー常開接点とを備えたスイッチングリレーをそなえていることを特徴とするワイパ装置。
【請求項２】
電源と、オフ位置に切換えられることによってそれぞれ接続される第１のスイッチ端子および第２のスイッチ端子を備えているとともに、オン位置に切換えられることによって上記第２のスイッチ端子に接続される第３のスイッチ端子を備えたワイパスイッチと、上記電源に接続された第１のブラシ端子および上記ワイパスイッチの第２のスイッチ端子に接続された第２のブラシ端子を備え、上記両ブラシ端子への通電によって、ワイパを作動させるための出力軸が回転するワイパモータと、上記ワイパスイッチの第１のスイッチ端子に接続された可動接点と、上記電源に接続された第１の接点と、接地された第２の接点とを備え、上記ワイパモータの出力軸に連動してワイパが作動中は上記可動接点が上記第２の接点に接続され、ワイパが予め定められた停止位置にくると該可動接点が上記第１の接点に接続されるオートストップスイッチと、オフ位置とイグニション位置とに切換え可能で、オフ位置からイグニション位置に切換えられると上記電源に接続された電源端子にイグニション端子が接続されて、上記電源からイグニション端子に電流が供給されるイグニションスイッチと、一端が上記イグニションスイッチのイグニション端子に接続され、他端が接地されたリレーコイルと、上記ワイパスイッチの第１のスイッチ端子に接続されたリレー常閉接点と、上記ワイパスイッチの第３のスイッチ端子に接続されたリレー可動接点と、接地されたリレー常開接点とを備えたスイッチングリレーをそなえていることを特徴とするワイパ装置。
【発明の詳細な説明】
【０００１】
【産業上の利用分野】
この発明は、ワイパを作動させることによってガラス面を拭うのに利用されるワイパ装置に関し、特に、ワイパスイッチがオフ切換えされてもワイパを所定の停止位置まで作動させ続けるワイパ装置に関する。
【０００２】
【従来の技術】
ワイパスイッチがオフ切換えされてもワイパを所定の停止位置まで作動させ続けるワイパ装置としては、例えば、実開昭５５−４８５４１号公報に開示されているものが知られている。
【０００３】
上記の公報に開示されたワイパ装置は、ワイパが作動中にワイパスイッチがオフ切換えされると、ワイパが定位置にくるまでワイパモータに電流が供給され、ワイパが定位置にくるとワイパモータに対する電流供給が中止されてワイパを所定の位置に停止させる。
【０００４】
【発明が解決しようとする課題】
ところが、上記したような従来のワイパ装置において、自動車を駐車する際、ワイパが作動中に、イグニションスイッチがオフ操作されると、ワイパモータはイグニションスイッチを介して電源に接続されているため、電源の電流が供給されなくなり、ワイパを払拭面上で勝手に停止させてしまうこととなり、ワイパが払拭面上で停止しているままで駐車すると、その後に発車する際、イグニションスイッチのオン切換えと同時に、ワイパスイッチがオフ切換えされているにも拘らず、ワイパは停止位置にくるまで作動することとなり、雨の時に車庫内に駐車してから、同じく雨の時に発車する場合は良いが、雨の時に車庫内に駐車してから、晴れの時に発車する場合はワイパが不必要に作動してしまうこととなってワイパの乾拭きをしてかえって払拭面を汚すことにもなりかねず、このようなことを避けるため、イグニションスイッチをオフ切換えする前に、ワイパスイッチをオフ切換えして、ワイパが所定の停止位置に停止したのを確認したうえで、イグニションスイッチをオフ切換えするという煩雑な操作をともなっていたという問題点があり、上記の問題点を解決することが課題となっていた。
【０００５】
【発明の目的】
この発明に係わるワイパ装置は、ワイパが作動中にイグニションスイッチがオフされても、ワイパを所定の停止位置まで作動させ続けてから停止させて、ワイパを払拭面上に停止させず、不使用時にワイパを所定の位置に停止させることができるワイパ装置を提供することを目的としている。
【０００６】
【発明の構成】
【０００７】
【課題を解決するための手段】
この発明の請求項１に係わるワイパ装置では、電源と、オフ位置に切換えられることによってそれぞれ接続される第１のスイッチ端子および第２のスイッチ端子を備えているとともに、オン位置に切換えられることによって第２のスイッチ端子に接続される第３のスイッチ端子を備えたワイパスイッチと、電源に接続された第１のブラシ端子およびワイパスイッチの第２のスイッチ端子に接続された第２のブラシ端子を備え、両ブラシ端子への通電によって、ワイパを作動させるための出力軸が回転するワイパモータと、ワイパスイッチの第１のスイッチ端子に接続された可動接点と、電源に接続された第１の接点と、接地された第２の接点とを備え、ワイパモータの出力軸に連動してワイパが作動中は可動接点が第２の接点に接続され、ワイパが予め定められた停止位置にくると可動接点が第１の接点に接続されるオートストップスイッチと、オフ位置とアクセサリー位置とに切換え可能で、オフ位置からアクセサリー位置に切換えられると電源に接続された電源端子にアクセサリー端子が接続されて、電源からアクセサリー端子に電流が供給されるイグニションスイッチと、一端がイグニションスイッチのアクセサリー端子に接続され、他端が接地されたリレーコイルと、ワイパスイッチの第１のスイッチ端子に接続されたリレー常閉接点と、ワイパスイッチの第３のスイッチ端子に接続されたリレー可動接点と、接地されたリレー常開接点とを備えたスイッチングリレーをそなえている構成としたことを特徴としている。
【０００８】
この発明の請求項２に係わるワイパ装置では、電源と、オフ位置に切換えられることによってそれぞれ接続される第１のスイッチ端子および第２のスイッチ端子を備えているとともに、オン位置に切換えられることによって上記第２のスイッチ端子に接続される第３のスイッチ端子を備えたワイパスイッチと、上記電源に接続された第１のブラシ端子および上記ワイパスイッチの第２のスイッチ端子に接続された第２のブラシ端子を備え、上記両ブラシ端子への通電によって、ワイパを作動させるための出力軸が回転するワイパモータと、上記ワイパスイッチの第１のスイッチ端子に接続された可動接点と、上記電源に接続された第１の接点と、接地された第２の接点とを備え、上記ワイパモータの出力軸に連動してワイパが作動中は上記可動接点が上記第２の接点に接続され、ワイパが予め定められた停止位置にくると該可動接点が上記第１の接点に接続されるオートストップスイッチと、オフ位置とイグニション位置とに切換え可能で、オフ位置からイグニション位置に切換えられると上記電源に接続された電源端子にイグニション端子が接続されて、上記電源からイグニション端子に電流が供給されるイグニションスイッチと、一端が上記イグニションスイッチのイグニション端子に接続され、他端が接地されたリレーコイルと、上記ワイパスイッチの第１のスイッチ端子に接続されたリレー常閉接点と、上記ワイパスイッチの第３のスイッチ端子に接続されたリレー可動接点と、接地されたリレー常開接点とを備えたスイッチングリレーをそなえている構成としたことを特徴としている。
【０００９】
【発明の作用】
この発明の請求項１に係わるワイパ装置において、イグニションスイッチがオン状態であると、スイッチングリレーは、リレーコイルがアクセサリー位置からの通電により励磁され、リレー可動接点がリレー常閉接点からリレー常開接点に切換わり、次いで、ワイパスイッチがオン位置に切換えられることによってワイパスイッチの第２のスイッチ端子にアース回路を形成させて電源からワイパモータへの通電経路が形成される。ワイパスイッチがオン位置に切換えられている状態でイグニションスイッチがオフ状態になると、スイッチングリレーは、リレーコイルが消磁され、リレー可動接点がリレー常開接点からリレー常閉接点に復帰するが、オートストップスイッチの可動接点が第２の接点に切換えられている間はワイパモータの通電経路は形成された状態を保ち、その後、オートストップスイッチの可動接点が第１の接点に復帰したと同時にワイパモータの通電経路が遮断され、ワイパモータの運転は停止する。それ故、イグニションスイッチが遮断されてからもワイパが予め定められた停止位置にくるまではワイパは作動し続け、ワイパが予め定められた停止位置にきたところでワイパは停止するため、イグニションスイッチが遮断されたと同時にワイパの作動は中止されることはない。
【００１０】
この発明の請求項２に係わるワイパ装置において、イグニションスイッチがオン状態になると、スイッチングリレーは、リレーコイルがイグニション位置からの通電により励磁され、リレー可動接点がリレー常閉接点からリレー常開接点に切換わる。ワイパスイッチがオン位置に切換えられることによってワイパスイッチの第２のスイッチ端子にアース回路が形成され、電源からワイパモータへの通電経路が形成される。ワイパスイッチがオン位置に切換えられているままでイグニションスイッチがオフ状態になると、スイッチングリレーは、リレーコイルが消磁され、リレー可動接点がリレー常開接点からリレー常閉接点に復帰する。しかし、オートストップスイッチの可動接点が第２の接点に切換えられている間はワイパモータの通電経路は形成されつづけ、オートストップスイッチの可動接点が第１の接点に復帰したと同時にワイパモータの通電経路が遮断されため、イグニションスイッチが遮断されてからもワイパが予め定められた停止位置にくるまではワイパは作動し続けて、ワイパが予め定められた停止位置にきたところでワイパは停止する。それ故、イグニションスイッチが遮断されたと同時に、ワイパの作動が中止されることはない。
【００１１】
【実施例】
図１および図２にはこの発明に係わるワイパ装置の実施例が示されており、図１にはこの発明に係わるワイパ装置の第一実施例が示され、図２にはこの発明に係わるワイパ装置の第二実施例が示されている。
【００１２】
図１に示されるワイパ装置１は、主として、ワイパスイッチ２、ワイパモータ３、オートストップスイッチ４、スイッチングリレーＲＬ、イグニションスイッチ５、ウオッシャモータ６、電源５０から構成されている。
【００１３】
ワイパスイッチ２には、第１のスイッチ端子Ｐ、第２のスイッチ端子Ｌ、第３のスイッチ端子Ｅ、第４のスイッチ端子Ｗがそれぞれ備えられており、このワイパスイッチ２は、オフ位置（ＯＦＦ）に切換えられると第１のスイッチ端子Ｐおよび第２のスイッチ端子Ｌが接続され、オン位置（ＯＮ）に切換えられると第２のスイッチ端子Ｌに第３のスイッチ端子Ｅが接続され、ウオッシャ位置（ＷＡ）に切換えられると第３のスイッチ端子Ｅに第４のスイッチ端子Ｗが接続される。
【００１４】
イグニションスイッチ５には、電源端子Ｂ、アクセサリー端子ＡＣＣ、イグニション端子ＩＧ、スタータ端子ＳＴがそれぞれ備えられており、電源端子Ｂは電源５０と直接接続されている。このイグニションスイッチ５は、オフ位置（ＯＦＦ）ではいずれの端子も接続されず、オフ位置（ＯＦＦ）からアクセサリー位置（ＡＣＣ）に切換えられると電源端子Ｂにアクセサリー端子ＡＣＣが接続されて端子ＡＣＣに電圧が発生し、アクセサリー位置（ＡＣＣ）からイグニション位置（ＩＧ）に切換えられると電源端子Ｂにアクセサリー端子ＡＣＣおよびイグニション端子ＩＧが接続されてイグニション端子ＩＧにも電圧が発生し、イグニション位置（ＩＧ）からスタート位置（ＳＴ）に切換えられると電源端子Ｂにイグニション端子ＩＧおよびスタータ端子ＳＴが接続されてスタータ端子ＳＴに電圧が発生する。
【００１５】
イグニションスイッチ５は、車両のイグニションキーシリンダに取付けられているため、このイグニションキーシリンダにキーが差し込まれてから、所定の方向に回されることによって、オフ位置（ＯＦＦ）、アクセサリー位置（ＡＣＣ）、イグニション位置（ＩＧ）の順にそれぞれ切換えられ、イグニション位置（ＩＧ）からスタート位置（ＳＴ）へは図示しない戻しばねに抗して回すようになっていてスタート位置（ＳＴ）からイグニション位置（ＩＧ）へは自動復帰される。
【００１６】
一方、ワイパモータ３には、第１のブラシ端子３ａ、第２のブラシ端子３ｂ、出力軸３ｃが備えられている。
【００１７】
第１のブラシ端子３ａは電源５０に直接接続され、第２のブラシ端子３ｂはワイパスイッチ２の第２のスイッチ端子Ｌに接続されているため、ワイパスイッチ２の第２のスイッチ端子Ｌが接地されることによって出力軸３ｃが回転する。この出力軸３ｃは図示しないワイパブレードにリンクを介して連結されるため、出力軸３ｃが回転することによってワイパブレードで払拭面を拭う。ワイパモータ３にはオートストップスイッチ４が取付けられている。
【００１８】
オートストップスイッチ４には、可動接点４ａ、常閉接点（第１の接点）４ｂ、常開接点（第２の接点）４ｃが備えられている。
【００１９】
可動接点４ａはワイパモータ３の出力軸３ｃに結合されているため、ワイパモータ３が回転している間に出力軸３ｃの回転にともなって作動し、ワイパが予め定められた停止位置にあると常閉接点４ｂに電気的に接続され、ワイパが予め定められた停止位置にない間は常開接点４ｃに電気的に接続される。
【００２０】
常閉接点４ｂは電源５０に直接接続され、常開接点４ｃは接地されている。
【００２１】
オートストップスイッチ４は、ワイパスイッチ２がオン位置（ＯＮ）からオフ位置（ＯＦＦ）に切換えられた際、ワイパが予め定められた停止位置にないと、可動接点４ａが常開接点４ｃに接続されることによってワイパスイッチ２の第１のスイッチ端子Ｐを接地させてワイパモータ３の両ブラシ端子３ａ、３ｂに対し電源５０の通電経路を形成し、ワイパが下部反転位置に予め定められた停止位置にくると、可動接点４ａが常開接点４ｃから常閉接点４ｂに復帰することによってワイパスイッチ２の第１のスイッチ端子Ｐを電源５０に接続させ、ワイパモータ３の両ブラシ端子３ａ、３ｂを短絡させることによる電磁制動によって出力軸３ｃを強制的に停止させる。
【００２２】
加えて、スイッチングリレーＲＬには、リレーコイルＲＬ１、リレー可動接点ＲＬ２、リレー常閉接点ＲＬ３、リレー常開接点ＲＬ４が備えられている。
【００２３】
スイッチングリレーＲＬのリレーコイルＲＬ１は、一端がイグニションスイッチ５のアクセサリー端子ＡＣＣに接続され、他端が接地されているため、このリレーコイルＲＬ１は、イグニションスイッチ５がオフ位置（ＯＦＦ）からアクセサリー位置（ＡＣＣ）に切換えられることによって励磁され、イグニションスイッチ５がアクセサリー位置（ＡＣＣ）からイグニション位置（ＩＧ）に切換えられることによって励磁され続け、イグニションスイッチ５がイグニション位置（ＩＧ）からスタート位置（ＳＴ）に切換えられると電流が供給されなくなり、消磁され、イグニションスイッチ５がオフ位置（ＯＦＦ）に切換えられても消磁される。
【００２４】
スイッチングリレーＲＬのリレー可動接点ＲＬ２はワイパスイッチ２の第３のスイッチ端子Ｅに接続されているため、イグニションスイッチ５がアクセサリー位置（ＡＣＣ）に切換えられてリレーコイルＲＬ１が励磁されると、リレー常閉接点ＲＬ３からリレー常開接点ＲＬ４に切換わってワイパスイッチ２の第３のスイッチ端子Ｅを接地させる機能を有する。また、リレー可動接点ＲＬ２は、イグニションスイッチ５からリレーコイルＲＬ１に電流が供給されなくなることによってリレーコイルＲＬ１が消磁されると、リレー常開接点ＲＬ４からリレー常閉接点ＲＬ３に切換わって、ワイパスイッチ２の第３のスイッチ端子Ｅをオートストップスイッチ４の可動接点４ａに接続させるため、ワイパモータ３に対する通電経路の形成をオートストップスイッチ４に委ねる機能を有する。
【００２５】
加えて、ウオッシャモータ６には、一方のブラシ端子となる第１のブラシ端子６ａ、他方のブラシ端子となる第２のブラシ端子６ｂ、出力軸６ｃが備えられている。
【００２６】
ウオッシャモータ６の第１のブラシ端子６ａはワイパモータ３と同様にして電源５０に直接接続され、ウオッシャモータ６の第２のブラシ端子６ｂはワイパスイッチ２の第４のスイッチ端子Ｗに接続されているため、ワイパスイッチ２の第４のスイッチ端子Ｗが接地されることによって出力軸６ｃが回転する。この出力軸６ｃは図示しないポンプに結合され、このポンプはウオッシャタンクに貯蔵した洗浄液内に配置されているため、出力軸６ｃが回転することによって洗浄液をノズルから払拭面に噴射させる。
【００２７】
このような構造をなすワイパ装置１は、イグニションキーシリンダにキーが差し込まれてから所定の方向に回されてオフ位置（ＯＦＦ）、アクセサリー位置（ＡＣＣ）、イグニション位置（ＩＧ）、スタート位置（ＳＴ）の順に切換えられ、図示しないスタータモータを回転させることによって車両のエンジンが始動されてからイグニション位置（ＩＧ）に戻される。イグニションスイッチ５がアクセサリー位置（ＡＣＣ）、イグニション位置（ＩＧ）にくることによってアクセサリー用電源が発生してスイッチングリレーＲＬのリレーコイルＲＬ１は励磁されるため、スイッチングリレーＲＬのリレー可動接点ＲＬ２はリレー常閉接点ＲＬ３からリレー常開接点ＲＬ４に切換わり、ワイパスイッチ２の第３のスイッチ端子Ｅを接地させる。
【００２８】
ワイパスイッチ２をオフ位置（ＯＦＦ）からオン位置（ＯＮ）に切換えると、ワイパスイッチ２の第２のスイッチ端子Ｌが第３のスイッチ端子Ｅに接続され、この第３のスイッチ端子ＥはスイッチングリレーＲＬのリレー可動接点ＲＬ２を介して接地されていることから、ワイパモータ３は、第２のブラシ端子３ｂ，ワイパスイッチ２の第２のスイッチ端子Ｌ，ワイパスイッチ２の第３のスイッチ端子Ｅ，スイッチングリレーＲＬのリレー可動接点ＲＬ２，接地の通電経路を介して電源５０の電流が流れて出力軸３ｃが回転を始めるため、ワイパを作動させて払拭面を拭う。
【００２９】
このとき、ワイパスイッチ２がウオッシャ位置（ＷＡ）に切換えられると、ワイパスイッチ２の第４のスイッチ端子Ｗが接地されることによって出力軸６ｃが回転し、出力軸６ｃが回転することによって洗浄液をノズルから払拭面に噴射させる。
【００３０】
この状態で、ワイパスイッチ２がオフ位置（ＯＦＦ）に切換えられると、ワイパスイッチ２の第１のスイッチ端子Ｐが第２のスイッチ端子Ｌに接続され、オートストップスイッチ４の可動接点４ａはワイパが予め定められた停止位置にない間は常開接点４ｃを介して接地されるため、ワイパスイッチ２の第１のスイッチ端子Ｐに、オートストップスイッチ４の可動接点４ａ，オートストップスイッチ４の常開接点４ｃ，接地の通電経路を形成してワイパモータ３への通電をワイパが予め定められた停止位置にくるまで続け、ワイパが予め定められた停止位置にきて、オートストップスイッチ４の可動接点４ａが常開接点４ｃから離れて常閉接点４ｂに接続されると同時に、ワイパスイッチ２の第１のスイッチ端子Ｐに対する接地の通電経路を遮断し、ワイパの予め定められた停止位置でワイパモータ３の出力軸３ｃの回転を停止させる。それ故、ワイパはワイパスイッチ２がオフ位置（ＯＦＦ）に切換えられると、所定の停止位置まで作動されて停止される。
【００３１】
そして、ワイパスイッチ２がオン位置（ＯＮ）にあってワイパを作動させているままで、車両を駐車してイグニションスイッチ５をオフ位置（ＯＦＦ）に切換えると、イグニションスイッチ５のアクセサリー端子ＡＣＣよりリレーコイルＲＬ１に電流が供給されなくなるため、スイッチングリレーＲＬのリレーコイルＲＬ１は消磁され、リレー可動接点ＲＬ２はリレー常開接点ＲＬ４から離れて常閉接点ＲＬ３に接続される。
【００３２】
このとき、ワイパスイッチ２はオン位置（ＯＮ）に切換えられているので、スイッチングリレーＲＬのリレー可動接点ＲＬ２を介して第３のスイッチ端子Ｅがオートストップスイッチ４の可動接点４ａに接続される。オートストップスイッチ４の可動接点４ａはワイパが予め定められた停止位置にない間は常開接点４ｃを介して接地されているため、ワイパスイッチ２の第３のスイッチ端子Ｅに、スイッチングリレーＲＬのリレー可動接点ＲＬ２，スイッチングリレーＲＬのリレー常閉接点ＲＬ３，オートストップスイッチ４の可動接点４ａ，オートストップスイッチ４の常開接点４ｃ，接地の通電経路を形成してワイパモータ３への通電を続け、ワイパモータ３はワイパが予め定められた停止位置にくるまで作動し続け、ワイパが予め定められた停止位置にきて、オートストップスイッチ４の可動接点４ａが常開接点４ｃから離れて常閉接点４ｂに接続されると同時にワイパスイッチ２の第３のスイッチ端子Ｅに対する接地の通電経路が遮断され、ワイパが予め定められた停止位置に達した状態で、ワイパモータ３の出力軸３ｃの回転は停止する。
【００３３】
ワイパスイッチ２がオン位置（ＯＮ）のままで、イグニションスイッチ５がオフ位置（ＯＦＦ）に切換えられても、イグニションスイッチ５のオフ切換えと同時にワイパモータ３を停止させず、ワイパが予め定められた停止位置にくるまではワイパモータ３に対する通電経路を形成し続け、ワイパが予め定められた停止位置にきたらワイパモータ３に対する通電経路を遮断するものとなる。
【００３４】
図２に示されるこの発明の第二実施例に係わるワイパ装置１において、スイッチングリレーＲＬのリレーコイルＲＬ１は、一端がイグニションスイッチ５のイグニション端子ＩＧに接続され、他端が接地されており、イグニションスイッチ５はオフ位置（ＯＦＦ）からアクセサリー位置（ＡＣＣ）に切換えられると電源端子Ｂにアクセサリー端子ＡＣＣが接続されて、アクセサリー位置（ＡＣＣ）からイグニション位置（ＩＧ）に切換えられると電源端子Ｂにアクセサリー端子ＡＣＣおよびイグニション端子ＩＧが接続される。
【００３５】
この場合、スイッチングリレーＲＬのリレーコイルＲＬ１は、イグニションスイッチ５がオフ位置（ＯＦＦ）からアクセサリー位置（ＡＣＣ）に切換えられることによってアクセサリー用電源が発生しても励磁されず、イグニションスイッチ５がアクセサリー位置（ＡＣＣ）からイグニション位置（ＩＧ）に切換えられることによって励磁され、イグニションスイッチ５がイグニション位置（ＩＧ）からスタート位置（ＳＴ）に切換えられると消磁され、イグニションスイッチ５がオフ位置（ＯＦＦ）に切換えられても消磁される。
【００３６】
そして、この場合のワイパ装置１では、イグニションスイッチ５がアクセサリー位置（ＡＣＣ）に切換えられてもスイッチングリレーＲＬのリレーコイルＲＬ１は励磁されず、イグニションスイッチ５がアクセサリー位置（ＡＣＣ）からイグニション位置（ＩＧ）に切換えられると、スイッチングリレーＲＬのリレー可動接点ＲＬ２がリレー常閉接点ＲＬ３からリレー常開接点ＲＬ４に切換わってワイパスイッチ２の第３のスイッチ端子Ｅを接地させるため、イグニションスイッチ５がオフ位置（ＯＦＦ）からイグニション位置（ＩＧ）まで切換えられる間にリレーコイルＲＬが励磁されるタイミングは第一実施例よりも遅く、イグニションスイッチ５がイグニション位置（ＩＧ）からオフ位置（ＯＦＦ）まで戻される間にリレーコイルＲＬ１が消磁されるタイミングは第一実施例よりも速いものとなる。
【００３７】
この場合も、ワイパスイッチ２がオン位置（ＯＮ）のままで、イグニションスイッチ５がオフ位置（ＯＦＦ）に切換えられても、イグニションスイッチ５のオフ切換えと同時にワイパモータ３を停止させず、ワイパが予め定められた停止位置にくるまではワイパモータ３に対する通電経路を形成し続け、ワイパが予め定められた停止位置にきたらワイパモータ３に対する通電経路を遮断するものとなる。
【００３８】
【発明の効果】
以上説明してきたように、この発明の請求項１に係わるワイパ装置によれば、イグニションスイッチがオン状態であると、スイッチングリレーは、そのリレーコイルがアクセサリー位置からの通電により励磁され、リレー可動接点がリレー常閉接点からリレー常開接点に切換わり、次いで、ワイパスイッチがオン位置に切換えられることによってワイパスイッチの第２のスイッチ端子にアース回路を形成させて電源からワイパモータへの通電経路が形成される。ワイパスイッチがオン位置に切換えられている状態でイグニションスイッチがオフ状態になると、スイッチングリレーは、そのリレーコイルが消磁され、リレー可動接点がリレー常開接点からリレー常閉接点に復帰するが、オートストップスイッチの可動接点が第２の接点に切換えられている間はワイパモータの通電経路は形成された状態を保ち、その後、オートストップスイッチの可動接点が第１の接点に復帰したと同時にワイパモータの通電経路が遮断され、ワイパモータの運転は停止するので、イグニションスイッチが遮断されてからもワイパが予め定められた停止位置にくるまではワイパは作動し続け、ワイパが予め定められた停止位置にきたところでワイパは停止するため、イグニションスイッチが遮断されたと同時にワイパの作動は中止されることはなく、ワイパが作動中に電源がカットオフされても、ワイパを所定の停止位置まで作動しつづけてから停止し、ワイパを払拭面上に停止させず、不使用時にワイパを所定の位置に停止させることができるという優れた効果を奏する。
【００３９】
この発明の請求項２に係わるワイパ装置によれば、イグニションスイッチがオン状態になると、スイッチングリレーは、リレーコイルがイグニション位置からの通電により励磁され、リレー可動接点がリレー常閉接点からリレー常開接点に切換わる。ワイパスイッチがオン位置に切換えられることによってワイパスイッチの第２のスイッチ端子にアース回路が形成され、電源からワイパモータへの通電経路が形成される。ワイパスイッチがオン位置に切換えられているままでイグニションスイッチがオフ状態になると、スイッチングリレーは、リレーコイルが消磁され、リレー可動接点がリレー常開接点からリレー常閉接点に復帰する。しかし、オートストップスイッチの可動接点が第２の接点に切換えられている間はワイパモータの通電経路は形成されつづけ、オートストップスイッチの可動接点が第１の接点に復帰したと同時にワイパモータの通電経路が遮断されため、イグニションスイッチが遮断されてからもワイパが予め定められた停止位置にくるまではワイパは作動し続けて、ワイパが予め定められた停止位置にきたところでワイパは停止するので、イグニションスイッチが遮断されたと同時に、ワイパの作動が中止されることはなく、ワイパが作動中に電源がカットオフされても、ワイパを所定の停止位置まで作動しつづけてから停止し、ワイパを払拭面上に停止させず、不使用時にワイパを所定の位置に停止させることができるという優れた効果を奏する。
【図面の簡単な説明】
【図１】この発明に係わるワイパ装置の第一実施例の回路図である。
【図２】この発明に係わるワイパ装置の第二実施例の回路図である。
【符号の説明】
１      ワイパ装置
２      ワイパスイッチ
３      ワイパモータ
３ａ    第１のブラシ端子
３ｂ    第２のブラシ端子
３ｃ    出力軸
４      オートストップスイッチ
４ａ    可動接点
４ｂ    常閉接点（第１の接点）
４ｃ    常開接点（第２の接点）
５      イグニションスイッチ
６      ウオッシャモータ
６ａ    一方のブラシ端子
６ｂ    他方のブラシ端子
５０    電源
ＡＣＣ  アクセサリー端子
Ｂ      電源端子
Ｅ      第３のスイッチ端子
ＩＧ    イグニション端子
Ｌ      第２のスイッチ端子
Ｐ      第１のスイッチ端子
ＲＬ    スイッチングリレー
ＲＬ１  リレーコイル
ＲＬ２  リレー可動接点
ＲＬ３  リレー常閉接点
ＲＬ４  リレー常開接点
ＳＴ    スタータ端子
Ｗ      第４のスイッチ端子
【図１】
0003543093.tif 000002
【図２】
0003543093.tif 000003